(57)【要約】  【課題】  強度向上を図りつつ製造容易で安価なパイプハウスを提供する。  【解決手段】  一方向に沿って間隔をあけて配置されて骨組み４を構成する複数のアーチパイプ２を備えるパイプハウス１であって、複数のアーチパイプ２は、配列方向と直交する鉛直面に対して交互に逆方向に傾斜するように配置され、両側部の互いに交差する部分が連結固定されると共に、頂部同士が互いに接合されており、設置面Ｇに固定される一対の支持部６と、各支持部６にそれぞれ着脱可能に取り付けられる取付具１００，２００とを更に備え、取付具１００，２００は、アーチパイプ２の端部が装着されてアーチパイプ２を傾斜状態に支持する。【選択図】  図７
2018201500.tif 000002
【特許請求の範囲】
【請求項１】
一方向に沿って間隔をあけて配置されて骨組みを構成する複数のアーチパイプを備えるパイプハウスであって、
複数の前記アーチパイプは、配列方向と直交する鉛直面に対して交互に逆方向に傾斜するように配置され、両側部の互いに交差する部分が連結固定されると共に、頂部同士が互いに接合されており、
設置面に固定される一対の支持部と、前記各支持部にそれぞれ着脱可能に取り付けられる取付具とを更に備え、
前記取付具は、前記アーチパイプの端部が装着されて前記アーチパイプを傾斜状態に支持するパイプハウス。
【請求項２】
一対の前記支持部は、前記アーチパイプの配列方向に沿って互いに平行に延びるように設置面に固定される一対の延出部材から構成される請求項１に記載のパイプハウス。
【請求項３】
一対の前記支持部は、設置面に対して垂直に起立するように固定されるアーチ状の支持パイプの両端部から構成される請求項１に記載のパイプハウス。
【請求項４】
一方向に沿って間隔をあけて複数配置されたアーチ状の支持パイプが、設置面に対して垂直に起立するように固定された既存のパイプハウスを補強する方法であって、
前記支持パイプの両端部にそれぞれ取付具を取り付ける工程と、
アーチパイプの端部を前記取付具に装着して前記アーチパイプを支持することにより、前記支持パイプの配列方向に沿って前記アーチパイプを配列する工程とを備え、
複数の前記アーチパイプは、配列方向と直交する鉛直面に対して交互に逆方向に傾斜するように配置され、両側部の互いに交差する部分が連結固定されると共に、頂部同士が互いに接合されるパイプハウスの補強方法。
【発明の詳細な説明】
【技術分野】
【０００１】
本発明は、パイプハウスおよびパイプハウスの補強方法に関する。
に関する。
【背景技術】
【０００２】
農業や園芸等に用いられる従来のパイプハウスは、間隔をあけて垂直に起立する複数のアーチパイプが、水平に延びる母屋パイプ等により連結固定された骨組構造を備えるものが一般的である。このような構成のパイプハウスは、台風の接近等による強風時に倒壊するおそれがあることから、耐風性を向上させることが従来から検討されている。
【０００３】
例えば、特許文献１には、パイプハウスを構成する骨組用の複数の支柱を間隔をあけて地面に立てる際に、妻面側において、支柱ピッチを狭くすると共に支柱の下端同士を地中において互いに連結することにより、風の影響を受け易い妻面側の支柱を強化することが記載されている。
【先行技術文献】
【特許文献】
【０００４】
【特許文献１】特開２００５−２８７４７７号公報
【発明の概要】
【発明が解決しようとする課題】
【０００５】
ところが、上記従来のパイプハウスは、強度を向上させるために支柱を増加させる必要があることから、製造コストが高くなるだけでなく、支柱の下端同士を地中で連結する作業が煩雑になるという問題があった。
【０００６】
そこで、本発明は、強度向上を図りつつ製造容易で安価なパイプハウスの提供を目的とする。
また、本発明は、既存のパイプハウスを容易且つ確実に補強することができるパイプハウスの補強方法の提供を目的とする。
【課題を解決するための手段】
【０００７】
本発明の前記目的は、一方向に沿って間隔をあけて配置されて骨組みを構成する複数のアーチパイプを備えるパイプハウスであって、複数の前記アーチパイプは、配列方向と直交する鉛直面に対して交互に逆方向に傾斜するように配置され、両側部の互いに交差する部分が連結固定されると共に、頂部同士が互いに接合されており、設置面に固定される一対の支持部と、前記各支持部にそれぞれ着脱可能に取り付けられる取付具とを更に備え、前記取付具は、前記アーチパイプの端部が装着されて前記アーチパイプを傾斜状態に支持するパイプハウスにより達成される。
【０００８】
このパイプハウスにおいて、一対の前記支持部は、前記アーチパイプの配列方向に沿って互いに平行に延びるように設置面に固定される一対の延出部材から構成することができる。あるいは、一対の前記支持部は、設置面に対して垂直に起立するように固定されるアーチ状の支持パイプの両端部から構成することができる。
【０００９】
また、本発明の前記目的は、一方向に沿って間隔をあけて複数配置されたアーチ状の支持パイプが、設置面に対して垂直に起立するように固定された既存のパイプハウスを補強する方法であって、前記支持パイプの両端部にそれぞれ取付具を取り付ける工程と、アーチパイプの端部を前記取付具に装着して前記アーチパイプを支持することにより、前記支持パイプの配列方向に沿って前記アーチパイプを配列する工程とを備え、複数の前記アーチパイプは、配列方向と直交する鉛直面に対して交互に逆方向に傾斜するように配置され、両側部の互いに交差する部分が連結固定されると共に、頂部同士が互いに接合されるパイプハウスの補強方法により達成される。
【発明の効果】
【００１０】
本発明によれば、強度向上を図りつつ製造容易で安価なパイプハウスを提供することができる。
また、本発明によれば、既存のパイプハウスを容易且つ確実に補強することができるパイプハウスの補強方法を提供することができる。
【図面の簡単な説明】
【００１１】
【図１】本発明の一実施形態に係るパイプハウスの要部側面図である。
【図２】図１に示すパイプハウスの要部平面図である。
【図３】図１に示すパイプハウスの組立方法を説明するための拡大図である。
【図４】本発明の他の実施形態に係るパイプハウスの要部側面図である。
【図５】本発明の更に他の実施形態に係るパイプハウスの要部側面図である。
【図６】本発明の更に他の実施形態のパイプハウスで使用する取付具の平面図である。
【図７】図６に示す取付具を使用したパイプハウスの一例を示す要部側面図である。
【図８】図６に示す取付具を使用したパイプハウスの補強方法の一例を説明するための工程図である。
【発明を実施するための形態】
【００１２】
以下、本発明の実施の形態について、添付図面を参照して説明する。図１は、本発明の一実施形態に係るパイプハウスの要部側面図であり、図２は、図１に示すパイプハウスの要部平面図である。図１および図２に示すように、パイプハウス１は、複数のアーチパイプ２によって構成される骨組み４と、各アーチパイプ２を支持する支持部を構成する一対の延出部材６，６と、骨組み４に展張されるシート状部材８とを備えている。
【００１３】
アーチパイプ２は、両端に開口部を有する筒状部材を平面に沿ってアーチ状に湾曲させた形状を有しており、アルミニウムや鋼等の金属材料や合成樹脂等から形成される。
【００１４】
一対の延出部材６，６は、金属材料等からなる角筒状または角柱状の部材であり、設置面Ｇ上に間隔をあけて互いに平行に配置されている。各延出部材６は、長手方向に沿って適宜の間隔で配置された固定金具６２を介して、アンカーピン６３の打ち込みにより設置面Ｇに固定される。各延出部材６の上面には、長手方向に沿って複数の突部６１が設けられている。
【００１５】
突部６１は、鉛直方向に対して延出部材６の略長手方向に傾斜するように斜め上方に突出しており、隣接する突部６１同士で傾斜方向が交互に逆方向となるように、延出部材６に溶接等により固定されている。
【００１６】
図３に示すように、突部６１には、アーチパイプ２の端部が外嵌されることにより、アーチパイプ２が鉛直面Ｖに対して傾斜した状態で固定される。突部６１の長さは、アーチパイプ２への挿入による固定を確実に行える程度であることが好ましく、突部６１が長くなる場合には、突部６１の基端側を補強板６４等で補強することが好ましい。こうして、図１および図２に示すように、一対の延出部材６，６間に複数のアーチパイプ２が掛け渡され、各アーチパイプ２が、延出部材６，６の長手方向に沿って配列される。
【００１７】
複数のアーチパイプ２は、いずれも同じ大きさ・形状を有しており、配列方向と直交する鉛直面Ｖに対して交互に逆方向に傾斜するように配置されている。逆方向に傾斜するアーチパイプ２，２の両側部が互いに交差する部分は、連結金具２１によって連結固定される。連結金具２１は、パイプ同士の連結に用いられる公知の金具を使用することができ、鋼板製金具や鋼線製金具等を例示することができる。なお、図２においては、一部の連結金具２１の図示を省略している。
【００１８】
アーチパイプ２の中央の頂部は、逆方向に傾斜する他のアーチパイプ２の中央の頂部と接合されており、この接合部が連結金具２２によって固定されている。こうして、複数のアーチパイプ２が結合されて、骨組み４が構成される。アーチパイプ２の頂部同士の連結は必須ではなく、連結金具２２を使用せずに単に当接状態で接合された構成であってもよい。
【００１９】
シート状部材８は、ポリ塩化ビニル等の合成樹脂等からなる透明フィルムから形成することができる。骨組み４に対するシート状部材８の取付方法は特に限定されないが、例えば、従来のパイプハウスと同様に、断面Ｕ字状のシート受け部材（図示せず）を骨組み４の長手方向に沿って固定し、このシート受け部材に対して、シート状部材８を挟み込むように蛇行状のバネ部材（図示せず）を嵌合させることにより、シート状部材８を骨組み４に固定することができる。シート状部材８は、必ずしも骨組み４の全体を覆う必要はなく、例えば、骨組み４の上部のみを覆うように配置されてもよい。
【００２０】
骨組み４の中央上部には、各アーチパイプ２の頂部を通過してシート状部材８を支持する天パイプ２３が設けられている。また、骨組み４の長手方向両側には、妻面を構成する直棒状の妻柱２４が、延出部材６の差込口への差し込みによって固定されている。妻柱２４は、風の抵抗を少なくするため、図１に示すように傾斜状態で設けられることが好ましい。パイプハウス１の出入口は、直立する複数のドアパイプ２５の間に形成される。
【００２１】
上記の構成を備えるパイプハウス１は、複数のアーチパイプ２が、配列方向と直交する鉛直面に対して交互に逆方向に傾斜するように配置され、両側部の互いに交差する部分が連結金具２１によって連結固定されると共に、頂部同士が互いに接合されることにより、強固な骨組み４を容易に構成することができる。また、アーチパイプ２が傾斜することによって、骨組み４の上部の外形形状が緩やかな曲線状になるため、骨組み４に展張したシート状部材８が受ける風の抵抗を軽減することができ、骨組み４の倒壊やシート状部材８の損傷を防止することができる。更に、アーチパイプ２を傾斜配置することにより、従来のように直立配置した場合に比べて、アーチパイプ２の必要数量を減らすことができる。これらの結果、設置作業の負担や製造コストを抑制しつつ、パイプハウス１の強度向上を図ることができる。
【００２２】
図３に示すアーチパイプ２の鉛直面Ｖに対する傾斜角θは、小さすぎると強度向上が困難になり易い一方、大きすぎるとパイプハウス１の内部空間を確保し難くなると共に強度が低下し易いことから、３０〜６０度の範囲が好ましく、４５度がより好ましい。傾斜角θを４５度に設定した場合、アーチパイプ２，２の両側部同士が直交することから、直交タイプの安価な連結金具２１を用いてアーチパイプ２の連結を迅速確実に行うことができるため、製造作業性や製造コストの面からも好ましい。
【００２３】
また、本実施形態のように、斜め上方に突出する突部６１が長手方向に沿って複数設けられた一対の延出部材６，６を、アーチパイプ２の配列方向に沿って互いに平行に延びるように設置面Ｇに固定することにより、アーチパイプ２を所定の傾斜角度で容易に設置することができるため、パイプハウス１の設置作業や移動作業を迅速容易に行うことができる。この場合、アーチパイプ２の端部を突部６１に単に装着するだけでアーチパイプ２を設置できるので、この点からも、パイプハウス１の設置作業性を向上させることができる。アーチパイプ２を一対の延出部材６，６に確実に固定できるように、アーチパイプ２は、若干の可撓変形が生じた状態で、両端部がそれぞれ突部６１に装着されることが好ましい。なお、設置面に対するアーチパイプ２の固定は、従来のように、アーチパイプ２の両端部を地中に埋め込む方法で行うことも可能である。
【００２４】
１つのアーチパイプ２の両側部に対して両側部が連結される他のアーチパイプ２の数量は、単一であってもよいが、これを複数にすることで骨組み４の強度をより確実に高めることができる。但し、１つのアーチパイプ２に対する他のアーチパイプ２の数量を３つ以上にすると、アーチパイプ２の配列が密になり過ぎて部品数の増加を招くことから、本実施形態のように、１つのアーチパイプ２に対して、逆方向に傾斜する２つのアーチパイプ２が連結された構成が好ましい。
【００２５】
本発明のパイプハウスは、農業や園芸に好適に使用することができるが、必ずしもこの用途に限定されるものではなく、例えば、車庫や納屋等に適用することも可能である。
【００２６】
また、図４に示すように、アーチパイプ２の端部が外嵌される突部６１は、鉛直方向に対する傾斜角度が異なるものを複数設けて、補強板６４等により延出部材６に固定してもよい。この構成によれば、アーチパイプ２の端部を装着する突部６１を適宜選択することにより、アーチパイプ２の傾斜角度を容易に調整することができる。
【００２７】
また、図５に示すように、延出部材６の上部から鉛直上方に突出する位置決め用のノブ６５を設けると共に、ノブ６５が挿通される貫通孔６２ａを固定金具６２に形成して、固定した延出部材６の経時的な位置ずれを確実に防止するようにしてもよい。
【００２８】
上記各実施形態のパイプハウスは、一対の延出部材６にそれぞれ固定された突部６１に、アーチパイプ２の両端部が装着される構成としているが、一対の延出部材６に着脱可能に取り付けられる取付具を用いて、アーチパイプ２を傾斜状態に支持する構成であってもよい。図６は、このような取付具の一例を示す平面図である。
【００２９】
図６（ａ）に示す取付具１００は、基板１１０と、基板１１０に固定された装着部１２０とを備えている。基板１１０は、台形状に形成されており、下底部が下部となる向きで延出部材６に取り付けられるように、下底部に沿って複数の取付孔２１２が形成されている。取付孔２１２は、基板１１０の上底部の近傍にも形成されている。装着部１２０は、アーチパイプ２の端部が内部に挿入されるように円筒状に形成されており、基板１１０の下底部を下方とする向きで斜め上方に突出するように配置されている。基板１１０の下底部を水平に配置したときの装着部１２０の傾斜角θ（図３参照）は、特に限定されないが、本実施形態では４５°としている。取付具１００，２００は、例えば金属製にすることができ、亜鉛メッキ処理等の防錆処理を施すことが好ましい。
【００３０】
装着部１２０は基板１１０に対して溶接等により固定してもよいが、本実施形態のようにＵボルト１２２等を用いて装着部１２０を基板１１０に着脱可能とすることで、装着部１２０を基板１１０の表裏面のいずれにも取り付けることができるので、装着部１２０が突出する向きを容易に変更して汎用性を高めることができる。また、Ｕボルト１２２の挿入孔を複数設けてＵボルト１２２の取付角度を変更できるように構成することで、装着部１２０の傾斜角を調整できるように構成してもよい。装着部１２０に対するアーチパイプ２の装着は、アーチパイプ２の端部を装着部１２０の内部空間に挿入する代わりに、アーチパイプ２の端部を装着部１２０に外嵌して行うこともできる。
【００３１】
図６（ｂ）に示す取付具２００は、台形状の基板２１０に対して、複数の円筒状の装着部２２０ａ，２２０ｂが左右対称に配置されており、傾斜状態で互いに逆方向に突出するように、Ｕボルト２２２ａ，２２２ｂによって固定されている。基板２１０に形成された取付孔２１２の配置は、図６（ａ）に示す基板１１０の取付孔１１２と同様である。
【００３２】
図７に示すパイプハウス１は、図１等に示すパイプハウス１において、一対の延出部材６に突部６１を設ける代わりに、図６に示す取付具１００，２００を用いてアーチパイプ２を支持したものであり、取付具１００，２００以外の構成については図１に示すパイプハウス１と同様である。図７に示す取付具１００，２００は、図６に示す状態から表裏を反転させて、一対の延出部材６のそれぞれ外面側に固定されている。延出部材６に対する取付具１００，２００の固定方法は特に限定されないが、例えば、取付具１００，２００の取付孔１１２，２１２にタッピングボルト６６を挿入して、延出部材６を外面側から貫通することにより、延出部材６の長手方向に沿った任意の箇所に取付具１００，２００を固定することができる。こうして、複数の取付具１００，２００を延出部材６の所定位置に固定した後、それぞれの装着部１２０，２２０ａ，２２０ｂにアーチパイプ２の端部を挿入することで、図７に示すパイプハウス１が完成する。装着部１２０，２２０ａ，２２０ｂの下端側は、予め閉塞するか、ハンマで叩く等して縮径することで、アーチパイプ２の抜けを防止することができる。２種類の取付具１００，２００は、必ずしも併用する必要はなく、いずれか一方のみを使用してもよい。取付具１００，２００は、アーチパイプ２との干渉が問題にならなければ、延出部材６の内面側や上面側に取り付けてもよい。
【００３３】
このように、延出部材６と、延出部材６に着脱可能に取り付けられる取付具１００，２００とを用いることで、パイプハウス１の持ち運びが容易になると共に、組立作業や撤収作業を迅速に行うことができる。また、アーチパイプ２は、従来技術のように端部を地面に埋設して固定する必要がないため、コンクリート面等への設置も可能であり、用途を広げることができる。
【００３４】
取付具１００，２００が着脱可能に取り付けられる一対の支持部は、必ずしも上記のような一対の延出部材６に限定されるものではない。例えば、図８（ａ）に示すように、一方向に沿って間隔をあけて複数配置されたアーチ状の支持パイプＳが、設置面Ｇに対して垂直に起立するように固定された既存のパイプハウスＰが存在する場合には、支持パイプＳの両端部を、それぞれ一対の支持部として利用することができる。このパイプハウスＰは、複数の支持パイプＳの中央頂部が、配列方向に沿って延びる母屋パイプＵに連結具Ｍによって連結された公知の構成である。
【００３５】
パイプハウスＰを補強する方法は、下記のとおりである。まず、図８（ａ）に示すように、取付具１００，２００を支持パイプＳの両側下部となる両端部に内側から取り付ける。支持パイプＳへの取付具１００，２００の取り付けは、例えば、支持パイプＳに形成された挿通孔、および、取付具１００，２００の中央の取付孔１１２，２１２に、ボルト６６を挿通して行うことができる。ついで、図８（ｂ）に示すように、各取付具１００，２００の装着部１２０，２２０ａ，２２０ｂにアーチパイプ２の両端部を装着して、アーチパイプ２を支持することにより、支持パイプＳの配列方向に沿ってアーチパイプ２を配列する。複数のアーチパイプ２は、図１等に示す構成と同様に、配列方向と直交する鉛直面に対して交互に逆方向に傾斜するように配置され、両側部の互いに交差する部分が連結固定されると共に、頂部同士が互いに接合される。こうして、パイプハウスＰが複数のアーチパイプ２によって内側から補強されたパイプハウス１’が完成する。
【００３６】
上記のパイプハウス１’は、既存のパイプハウスＰを有効利用して、低コストで迅速容易に製造することができる。取付具１００，２００は、支持パイプＳの両端部に外側から取り付けることも可能であり、支持パイプＳを外側から補強してもよい。
【符号の説明】
【００３７】
１  パイプハウス
２  アーチパイプ
４  骨組み
６  延出部材（支持部）
６１  突部
８  シート状部材
１００，２００  取付具
Ｐ  パイプハウス
Ｓ  支持パイプ（支持部）
【図１】
2018201500.tif 000003
【図２】
2018201500.tif 000004
【図３】
2018201500.tif 000005
【図４】
2018201500.tif 000006
【図５】
2018201500.tif 000007
【図６】
2018201500.tif 000008
【図７】
2018201500.tif 000009
【図８】
2018201500.tif 000010